(57)【要約】【課題】蒸気タービンシステムにおいて、発電端出力に大きな影響を与えることなく給水加熱器の間のドレン回収能力を確保すること。【解決手段】蒸気タービンシステムは、第１の給水加熱器と、第１の給水加熱器より器内圧力が低い第２の給水加熱器と、タービンから第１の給水加熱器に抽気蒸気を供給するための第１のタービン抽気管と、タービンのうち第１のタービン抽気管の抽気段落より高圧力側の段落から第１の給水加熱器に抽気蒸気を供給するための第２のタービン抽気管と、第１及び第２のタービン抽気管にそれぞれ設けられる第１及び第２の弁と、第１の給水加熱器のドレンを第２の給水加熱器に輸送するためのドレン管と、を備えた。【選択図】  図２
2017072101.tif 000002
【特許請求の範囲】
【請求項１】
第１の給水加熱器と、
前記第１の給水加熱器より器内圧力が低い第２の給水加熱器と、
タービンから前記第１の給水加熱器に抽気蒸気を供給するための第１のタービン抽気管と、
前記タービンのうち前記第１のタービン抽気管の抽気段落より高圧力側の段落から前記第１の給水加熱器に抽気蒸気を供給するための第２のタービン抽気管と、
前記第１及び第２のタービン抽気管にそれぞれ設けられる第１及び第２の弁と、
前記第１の給水加熱器のドレンを前記第２の給水加熱器に輸送するためのドレン管と、
を備えた蒸気タービンシステム。
【請求項２】
前記第１の給水加熱器の器内圧力と、前記第２の給水加熱器の器内圧力とをそれぞれ計測する圧力計と、
前記第１の給水加熱器の器内圧力と、前記第２の給水加熱器の器内圧力とに基づく器内圧力差に基づいて、前記第１及び第２の弁を制御する制御部と、
をさらに備えた請求項１に記載の蒸気タービンシステム。
【請求項３】
前記第１の給水加熱器内のドレン水位を計測する水位計と、
前記ドレン水位に基づいて、前記第１及び第２の弁を制御する制御部と、
をさらに備えた請求項１に記載の蒸気タービンシステム。
【請求項４】
第１の給水加熱器と、
前記第１の給水加熱器より器内圧力が低い第２の給水加熱器と、
前記第１の給水加熱器のドレンを冷却するドレンクーラと、
前記第１の給水加熱器のドレンを前記ドレンクーラに輸送するための第１のドレン管と、
前記ドレンクーラから排出されたドレンを前記第２の給水加熱器に輸送するための第２のドレン管と、
前記第２の給水加熱器のドレンを復水系に接続させる第３のドレン管と、
前記第３のドレン管のドレンを前記ドレンクーラの前段に接続させる第４のドレン管と、
前記第１及び第２のドレン管に接続される第５のドレン管と、
前記第１、第４、及び第５のドレン管にそれぞれ設けられる第１、第２、及び第３の弁と、
を備えた蒸気タービンシステム。
【請求項５】
前記第１の給水加熱器の器内圧力と、前記第２の給水加熱器の器内圧力とをそれぞれ計測する圧力計と、
前記第１の給水加熱器の器内圧力と、前記第２の給水加熱器の器内圧力とに基づく器内圧力差に基づいて、前記第１、第２、及び第３の弁を制御する制御部と、
を備えた請求項４に記載の蒸気タービンシステム。
【請求項６】
前記第１の給水加熱器のドレン水位を計測する水位計と、
前記ドレン水位に基づいて、前記第１、第２、及び第３の弁を制御する制御部と、
を備えた請求項４に記載の蒸気タービンシステム。
【請求項７】
前記第２のドレン管の管内温度を計測する温度計と、
前記温度に基づいて、前記第３の弁の開度を制御する制御部と、
を備えた請求項４乃至６のうちいずれか一項に記載の蒸気タービンシステム。
【請求項８】
第１の給水加熱器のドレンを、前記第１の給水加熱器より器内圧力が低い第２の給水加熱器に輸送させ、
タービンから前記第１の給水加熱器に抽気蒸気を供給するための第１のタービン抽気管に設けられる第１の弁を制御し、
前記タービンのうち前記第１のタービン抽気管の抽気段落より高圧力側の段落から前記第１の給水加熱器に抽気蒸気を供給するための第２のタービン抽気管に設けられる第２の弁を制御する、蒸気タービンシステムの制御方法。
【請求項９】
タービンから第１の給水加熱器に抽気蒸気を供給させ、
前記第１の給水加熱器のドレンをドレンクーラに輸送するための第１のドレン管に設けられる第１の弁を制御し、
前記第２の給水加熱器のドレンを復水系に接続させる第３のドレン管から前記ドレンクーラに分岐する第４のドレン管に設けられる第２の弁を制御し、
前記第１のドレン管と、前記ドレンクーラから排出されたドレンを前記第２の給水加熱器に輸送するための第２のドレン管とに接続される第５のドレン管に設けられる第３の弁を制御する、蒸気タービンシステムの制御方法。
【発明の詳細な説明】
【技術分野】
【０００１】
本発明の実施形態は、蒸気タービンシステム及びその制御方法に関する。
【背景技術】
【０００２】
一般的な蒸気タービンシステムにおいて、給水加熱器のドレン系統は、復水器から排出された復水を、熱源に戻る過程で給水加熱器内に供給されたタービンの抽気蒸気によって加熱した際に、熱交換によって発生されたドレンを輸送するための系統である。ドレンは、熱交換時に熱エネルギーを失うことによって抽気蒸気が凝縮した水分のことをいう。
【０００３】
ドレンを輸送するためのシステムとして、ドレンが、複数の給水加熱器のうち高圧側から低圧側に順々に輸送され最終的に復水器に輸送される構成を採るフルカスケードシステムがある。フルカスケードシステムでは、高圧側の給水加熱器内で凝縮されたドレンは、低圧側の給水加熱器やドレンタンクなどに順次輸送される。低圧側の給水加熱器に輸送されたドレンは、低圧側の給水加熱器で熱回収された後、最終的に復水器のホットウェル又は復水管に回収される。
【０００４】
フルカスケードシステムが採用される場合、給水加熱器の間の器内圧力差及び水頭差を利用してドレンは低圧側の給水加熱器に輸送される。
【０００５】
また、ドレンを輸送するための他のシステムとして、ドレンポンプによりドレンを復水系統に直接回収するヒータドレンポンプアップシステムなどもある。
【先行技術文献】
【特許文献】
【０００６】
【特許文献１】特開平４−１２８５０２号公報
【特許文献２】特許第２６１４３５０号公報
【発明の概要】
【発明が解決しようとする課題】
【０００７】
しかしながら、フルカスケードシステムが採用される場合、ドレン輸送の駆動力が系統圧損に対して小さい条件下においては給水加熱器の間でドレンを輸送することができず、プラント運用に支障をきたす可能性がある。給水加熱器の間でドレンを輸送できなくなった場合、給水加熱器から復水器にドレンを直接ダンプする方法を採用することもできるが、この方法が採用された場合、プラント熱効率の低下に繋がる。ここで、ドレン輸送の駆動力の低下は、機器更新などの影響によってタービン抽気圧力が変わり、給水加熱器の間の器内圧力の差が小さくなった時などに起こり得る。例えば主蒸気タービンを更新する場合には、タービン抽気圧力はタービンの設計に付随して決められる。このため、前述のような抽気圧力の変化が起こり得る。
【０００８】
特に、タービンのマージン段からの抽気圧力は最終段と合わせてのラインナップとして設計されるため、タービン効率を重視した設計の場合、既設の設計条件の抽気圧力に合わせたタービン設計とすることは容易ではない。
【０００９】
本発明が解決しようとする課題は、発電端出力に大きな影響を与えることなく給水加熱器の間のドレン回収能力を確保することができる蒸気タービンシステム及びその制御方法を提供することである。
【課題を解決するための手段】
【００１０】
本実施形態の蒸気タービンシステムは、第１の給水加熱器と、前記第１の給水加熱器より器内圧力が低い第２の給水加熱器と、タービンから前記第１の給水加熱器に抽気蒸気を供給するための第１のタービン抽気管と、前記タービンのうち前記第１のタービン抽気管の抽気段落より高圧力側の段落から前記第１の給水加熱器に抽気蒸気を供給するための第２のタービン抽気管と、前記第１及び第２のタービン抽気管にそれぞれ設けられる第１及び第２の弁と、前記第１の給水加熱器のドレンを前記第２の給水加熱器に輸送するためのドレン管と、を備えた。
【発明の効果】
【００１１】
本実施形態の蒸気タービンシステム及びその制御方法により、発電端出力に大きな影響を与えることなく給水加熱器の間のドレン回収能力を確保することができる。
【図面の簡単な説明】
【００１２】
【図１】本実施形態の蒸気タービンシステムの全体の構成を概略的に示す図。
【図２】第１の実施形態の蒸気タービンシステムの一部の構成を具体的に示す図。
【図３】第２の実施形態の蒸気タービンシステムの一部の構成を具体的に示す図。
【図４】第３の実施形態の蒸気タービンシステムの一部の構成を具体的に示す図。
【図５】第４の実施形態の蒸気タービンシステムの一部の構成を具体的に示す図。
【図６】第５の実施形態の蒸気タービンシステムの一部の構成を具体的に示す図。
【図７】第６の実施形態の蒸気タービンシステムの一部の構成を具体的に示す図。
【図８】第７の実施形態の蒸気タービンシステムの一部の構成を具体的に示す図。
【発明を実施するための形態】
【００１３】
本実施形態の蒸気タービンシステム及びその制御方法について、添付図面を参照して説明する。
【００１４】
１．第１の実施形態
（１）構成
図１は、本実施形態の蒸気タービンシステムの全体の構成を概略的に示す図である。図２は、第１の実施形態の蒸気タービンシステムの一部の構成を具体的に示す図である。
【００１５】
図１及び図２は、第１の実施形態の蒸気タービンシステム１を示す。蒸気タービンシステム１は、熱源１１、高圧タービン１２、湿分分離器（「湿分分離加熱器」とも呼ばれる）１３、低圧タービン１４、発電機１５、復水器１６、復水ポンプ１７、低圧給水加熱器群１８、給水ポンプ１９、高圧給水加熱器群２０、低圧タービン抽気管群２１、高圧タービン抽気管群２２、低圧ドレン管群２３、高圧ドレン管群２４、調整弁２５、及び止め弁２６を備える。
【００１６】
高圧タービン１２は、ボイラや原子炉などの熱源１１から発生した蒸気を、主蒸気管を経て供給することで、回転エネルギーを電気エネルギーとして取り出す発電機１５を駆動する。
【００１７】
湿分分離器１３は、高圧タービン１２で仕事をした蒸気を供給し蒸気の湿分を分離する。なお、原子力発電所では、蒸気は湿分分離器１３に導かれるが、火力発電所では、蒸気は熱源１１としてのボイラに導かれる。
【００１８】
低圧タービン１４は、湿分分離器１３で湿分を分離された蒸気を供給して、発電機１５を駆動する。火力発電所では、低圧タービン１４は、ボイラで再熱された蒸気を供給して、発電機１５を駆動する。低圧タービン１４は、多段の低圧タービンを具備することが一般的である。
【００１９】
復水器１６は、低圧タービン１４で仕事を終えた蒸気を排気蒸気として供給して凝縮し、復水として回収する。
【００２０】
復水ポンプ１７は、復水器１６から供給された復水を昇圧する。
【００２１】
低圧給水加熱器群１８は、器内圧力が異なる複数段の低圧給水加熱器を備える。低圧給水加熱器群１８は、器内圧力が異なる２段の低圧給水加熱器１８１，１８２を少なくとも備えていればよい。図１に示す例では、低圧給水加熱器群１８は、低圧側である第１段の低圧給水加熱器１８１と、低圧給水加熱器１８１より高圧側の低圧給水加熱器１８２とに加え、低圧給水加熱器１８２より高圧側の低圧給水加熱器１８３，１８４を備える場合を図示する。低圧給水加熱器１８１〜１８４は、段階的に復水を加熱する。
【００２２】
給水ポンプ１９は、低圧給水加熱器群１８の最も高圧側の低圧給水加熱器１８４から供給された給水を昇圧する。
【００２３】
高圧給水加熱器群２０は、器内圧力が異なる複数段の高圧給水加熱器を備える。図１に示す例では、高圧給水加熱器群２０は、２段の高圧給水加熱器２０１，２０２を備える。高圧給水加熱器２０１，２０２は、段階的に給水を加熱する。その後、給水は、最終的に熱源１１に供給される。
【００２４】
低圧タービン抽気管群２１は、低圧タービン１４と低圧給水加熱器群１８とを接続する。図２に示すように、低圧タービン抽気管群２１は、低圧タービン１４と第１段の低圧給水加熱器１８１とを接続する低圧タービン抽気管２１１と、低圧タービン１４と第２段の低圧給水加熱器１８２とを接続する低圧タービン抽気管２１２と、低圧タービン１４と低圧給水加熱器１８３とを接続する低圧タービン抽気管２１３とを備える。
【００２５】
また、図２に示すように、低圧タービン抽気管群２１は、低圧タービン１４のうち低圧タービン抽気管２１２の抽気段落より高圧力側の段落から低圧給水加熱器１８２に抽気蒸気を供給するための低圧タービン抽気管２１Ｖを備える。図２に示す例では、低圧タービン抽気管２１Ｖは、低圧タービン１４のうち低圧タービン抽気管２１２の抽気段落より高圧力側の段落と、低圧タービン抽気管２１２とを接続する。
【００２６】
高圧タービン抽気管群２２は、高圧タービン１２と高圧給水加熱器群２０とを接続する。
【００２７】
低圧ドレン管群２３は、各給水加熱器で凝縮されたドレンを低圧側の給水加熱器に輸送する。低圧ドレン管群２３は、低圧給水加熱器１８１で凝縮されたドレンを復水器１６に輸送する低圧ドレン管２３１と、低圧給水加熱器１８２で凝縮されたドレンを低圧給水加熱器１８１に輸送する低圧ドレン管２３２と、低圧給水加熱器１８３で凝縮されたドレンを低圧給水加熱器１８２に輸送する低圧ドレン管２３３と、低圧給水加熱器１８４で凝縮されたドレンを低圧給水加熱器１８３に輸送する低圧ドレン管２３４と、を備える。低圧給水加熱器１８１は、低圧ドレン管２３２を介して供給されたドレンを熱交換し、低圧給水加熱器１８１で凝縮されたドレンと合流し、低圧ドレン管２３１を介して復水器１６に輸送する。復水器１６は、ドレンを回収する。
【００２８】
高圧ドレン管群２４は、各給水加熱器で凝縮されたドレンを低圧側の給水加熱器に輸送する。高圧ドレン管群２４は、高圧給水加熱器２０１で凝縮されたドレンを低圧給水加熱器１８４に輸送する高圧ドレン管２４１と、高圧給水加熱器２０２で凝縮されたドレンを高圧給水加熱器２０１に輸送する高圧ドレン管２４２と、を備える。
【００２９】
調整弁２５は、図２に示すように、低圧タービン抽気管２１Ｖに設けられる。調整弁２５の開度が調整されることで、低圧タービン抽気管２１Ｖを流れる抽気蒸気の流量を制限する。
【００３０】
止め弁２６は、図２に示すように、低圧タービン抽気管２１２に設けられる。調整弁２５が開かれる場合に止め弁２６が閉じられることで、低圧タービン１４から低圧タービン抽気管２１Ｖを介して供給される抽気蒸気が低圧タービン抽気管２１２を介して低圧タービン１４に逆流することを防止する。
【００３１】
ここで、流量増加による圧力損失の増加を防ぐことを目的として、低圧タービン抽気管２１Ｖは、低圧タービン抽気管２１３と同一の抽気段落で異なる管台、又は、低圧タービン抽気管２１３に近い抽気段落から抽気するように低圧タービン１４に接続されることが好適である。すなわち、低圧タービン抽気管２１３から抽気される蒸気の圧力と、低圧タービン抽気管２１Ｖから抽気される蒸気の圧力とはほぼ等しい。すなわち、低圧タービン抽気管２１１〜２１３と低圧タービン抽気管２１Ｖとは、低圧タービン抽気管２１３及び低圧タービン抽気管２１Ｖ、低圧タービン抽気管２１２、低圧タービン抽気管２１１の順に抽気蒸気の圧力が高くなるように低圧タービン１４に接続される。
【００３２】
なお、低圧給水加熱器１８２に接続される低圧タービン抽気管２１Ｖは、低圧タービン抽気管２１３より高圧側の低圧タービン１４の抽気段落に接続されてもよい。また、低圧給水加熱器群１８のうち低圧給水加熱器１８２から低圧給水加熱器１８１へのドレン輸送の駆動力を維持するための構成例を示すがその例に限定されない。例えば、低圧タービン抽気管２１Ｖの代わりに、低圧給水加熱器１８２と低圧給水加熱器１８３との間の器内圧力差を増大させるために低圧給水加熱器１８３に高圧の抽気蒸気を供給する抽気管を設置することもできる。また、例えば、低圧タービン抽気管２１Ｖに加え、低圧給水加熱器１８２と低圧給水加熱器１８３との間の器内圧力差を増大させるために低圧給水加熱器１８３に高圧の抽気蒸気を供給する抽気管を設置することもできる。
【００３３】
低圧タービン抽気管２１Ｖを採用すると、低圧タービン抽気管２１３の抽気蒸気と同等の圧力の抽気蒸気を低圧給水加熱器１８２に供給することができる。
【００３４】
（２）作用
図２を用いて、蒸気タービンシステム１の作用を説明する。
【００３５】
蒸気タービンシステム１では、調整弁２５が閉じられ、止め弁２６が開かれた状態、つまり、ドレンの従来の輸送系統と同様に、低圧給水加熱器１８２で凝縮されたドレンは、低圧給水加熱器１８１と低圧給水加熱器１８２との器内圧力差及び水頭差を駆動力として、低圧ドレン管２３２を介して低圧給水加熱器１８１に輸送される。蒸気タービンシステム１において駆動力が足りない場合、調整弁２５を開き、止め弁２６を閉じることで、低圧タービン抽気管２１Ｖの抽気蒸気は低圧給水加熱器１８２に供給される。
【００３６】
ここで、調整弁２５の開度は、低圧給水加熱器１８１と低圧給水加熱器１８２との器内圧力差に応じて調整されればよいので全開に限定されるものではない。特に、発電機１５から取り出す電気出力が定格（１００％）で一定になるような定格一定運転ではない場合は、調整弁２５の開度を適宜変更してもよい。
【００３７】
低圧タービン抽気管２１Ｖの抽気蒸気が低圧給水加熱器１８２に供給されることにより、低圧給水加熱器１８２の器内圧力が上昇し、低圧給水加熱器１８１と低圧給水加熱器１８２との器内圧力差が大きくなることで、低圧ドレン管２３２を介してドレンの輸送が可能となる十分な駆動力が確保される。駆動力が確保されると、低圧給水加熱器１８２で凝縮されたドレンは低圧ドレン管２３２を介して低圧給水加熱器１８１に輸送され、低圧ドレン管２３１を介して復水器１６に回収される。
【００３８】
（３）効果
蒸気タービンシステム１によると、低圧給水加熱器１８２と低圧給水加熱器１８１との器内圧力差を大きくすることができる構成を採用することで、低圧給水加熱器１８２から低圧給水加熱器１８１へのドレンの輸送における十分な駆動力を確保できる。
【００３９】
２．第２の実施形態
（１）構成
第２の実施形態の蒸気タービンシステムの全体の構成の概略は、図１に示すものと同等であるので、図示を省略する。
【００４０】
図３は、第２の実施形態の蒸気タービンシステムの一部の構成を具体的に示す図である。
【００４１】
図３は、第２の実施形態の蒸気タービンシステム１Ａを示す。図３において、図２に示す蒸気タービンシステム１と同一部材には同一符号を付して説明を省略する。
【００４２】
蒸気タービンシステム１Ａは、図１に示す蒸気タービンシステム１に加え、圧力計２７，２８及び制御部２９を備える。
【００４３】
圧力計２７は、低圧給水加熱器１８１に設けられる。圧力計２８は、低圧給水加熱器１８２に設けられる。圧力計２７，２８は、低圧給水加熱器１８１，１８２の器内圧力をそれぞれ計測する。
【００４４】
制御部２９は、ＣＰＵ（ｃｅｎｔｒａｌ  ｐｒｏｃｅｓｓｉｎｇ  ｕｎｉｔ）及びメモリなどによって構成される。制御部２９は、圧力計２７，２８による計測結果に基づいて、低圧給水加熱器１８１と低圧給水加熱器１８２との器内圧力差が基準圧力差を下回ると判断する場合、自動的に、調整弁２５を開とし、止め弁２６を閉とするように制御する。そのような制御により、低圧タービン抽気管２１２の代わりに低圧タービン抽気管２１Ｖを介した抽気蒸気が低圧給水加熱器１８２に供給される。
【００４５】
（２）作用
図３を用いて、蒸気タービンシステム１Ａの作用を説明する。
【００４６】
蒸気タービンシステム１Ａでは、調整弁２５が閉じられ、止め弁２６が開かれた状態、つまり、ドレンの従来の輸送系統と同様に、低圧給水加熱器１８２で凝縮されたドレンは、低圧給水加熱器１８１と低圧給水加熱器１８２との器内圧力差及び水頭差を駆動力として、低圧ドレン管２３２を介して低圧給水加熱器１８１に輸送される。さらに、蒸気タービンシステム１Ａでは、低圧給水加熱器１８１，１８２にそれぞれ設けられた圧力計２７，２８により低圧給水加熱器１８１，１８２の器内圧力が適宜計測される。
【００４７】
器内圧力差が第１基準圧力差を下回った場合、制御部２９の制御により、調整弁２５が自動的に開かれ、止め弁２６が自動的に閉じられることで、低圧タービン抽気管２１Ｖの抽気蒸気は低圧給水加熱器１８２に供給される。例えば、第１基準圧力差は、低圧給水加熱器１８１と低圧給水加熱器１８２との間で、低圧給水加熱器１８２から低圧ドレン管２３２を介して低圧給水加熱器１８１にドレンの輸送が可能となる器内圧力差を示す値である。
【００４８】
ここで、調整弁２５の開度は、低圧給水加熱器１８１と低圧給水加熱器１８２との器内圧力差に応じて調整されればよいので全開に限定されるものではない。特に、定格一定運転ではない場合は、制御部２９は、調整弁２５の開度を適宜変更することが好適である。
【００４９】
低圧タービン抽気管２１Ｖの抽気蒸気が低圧給水加熱器１８２に供給されることにより、低圧給水加熱器１８２の器内圧力が上昇し、低圧給水加熱器１８１と低圧給水加熱器１８２との器内圧力差が大きくなることで、低圧ドレン管２３２を介してドレンの輸送が可能となる十分な駆動力が確保される。駆動力が確保されると、低圧給水加熱器１８２で凝縮されたドレンは低圧ドレン管２３２を介して低圧給水加熱器１８１に輸送され、低圧ドレン管２３１を介して復水器１６に回収される。
【００５０】
制御部２９による制御の下、器内圧力差が第１基準圧力差を再び下回った場合、制御部２９の制御により調整弁２５の開度が自動的に大きくなることで、低圧給水加熱器１８２に供給される低圧タービン抽気管２１Ｖの抽気蒸気の量が増大する。
【００５１】
一方で、制御部２９による制御の下、器内圧力差が第２基準圧力差を上回った場合、制御部２９の制御により調整弁２５の開度が自動的に小さくなることで、低圧給水加熱器１８２に供給される低圧タービン抽気管２１Ｖの抽気蒸気の量が減少する。例えば、第２基準圧力差は、低圧給水加熱器１８２と低圧給水加熱器１８３との間で、低圧給水加熱器１８３から低圧ドレン管２３３を介して低圧給水加熱器１８２にドレンの輸送が可能となる器内圧力差を示す値である。
【００５２】
つまり、制御部２９の制御により、低圧給水加熱器１８１と低圧給水加熱器１８２との器内圧力差が、第１基準圧力差から第２基準圧力差の間に収まるように調整弁２５の開度が制御されることで、ドレンの輸送における十分な駆動力が確保される。
【００５３】
（３）効果
蒸気タービンシステム１Ａによると、低圧給水加熱器１８２と低圧給水加熱器１８１との器内圧力差を大きくすることができる構成を採用することで、低圧給水加熱器１８２から低圧給水加熱器１８１へのドレンの輸送における十分な駆動力を確保できる。
【００５４】
３．第３の実施形態
（１）構成
第３の実施形態の蒸気タービンシステムの全体の構成の概略は、図１に示すものと同等であるので、図示を省略する。
【００５５】
図４は、第３の実施形態の蒸気タービンシステムの一部の構成を具体的に示す図である。
【００５６】
図４は、第３の実施形態の蒸気タービンシステム１Ｂを示す。図４において、図１に示す蒸気タービンシステム１と同一部材には同一符号を付して説明を省略する。
【００５７】
蒸気タービンシステム１Ｂは、図１に示す蒸気タービンシステム１に加え、水位計３０及び制御部３１を備える。
【００５８】
水位計３０は、低圧給水加熱器１８２に設けられる。水位計３０は、低圧給水加熱器１８２のドレン水位を計測する。
【００５９】
制御部３１は、ＣＰＵ及びメモリなどによって構成される。制御部３１は、水位計３０による計測結果に基づいて、低圧給水加熱器１８２のドレン水位が基準水位に達すると判断する場合、自動的に、調整弁２５を開とし、止め弁２６を閉とするように制御する。そのような制御により、低圧タービン抽気管２１２の代わりに低圧タービン抽気管２１Ｖを介した抽気蒸気が低圧給水加熱器１８２に供給される。
【００６０】
（２）作用
図４を用いて、蒸気タービンシステム１Ｂの作用を説明する。
【００６１】
蒸気タービンシステム１Ｂでは、調整弁２５が閉じられ、止め弁２６が開かれた状態、つまり、ドレンの従来の輸送系統と同様に、低圧給水加熱器１８２で凝縮されたドレンは、低圧給水加熱器１８１と低圧給水加熱器１８２との器内圧力差及び水頭差を駆動力として、低圧ドレン管２３２を介して低圧給水加熱器１８１に輸送される。さらに、蒸気タービンシステム１Ｂでは、低圧給水加熱器１８２に設けられた水位計３０により低圧給水加熱器１８２のドレン水位が適宜計測される。
【００６２】
低圧給水加熱器１８２のドレン水位が第１基準水位に達した場合、制御部３１の制御により、調整弁２５が自動的に開かれ、止め弁２６が自動的に閉じられることで、低圧タービン抽気管２１Ｖの抽気蒸気は低圧給水加熱器１８２に供給される。例えば、第１基準水位は、低圧給水加熱器１８２から低圧ドレン管２３２を介して低圧給水加熱器１８１にドレンの輸送が可能となる低圧給水加熱器１８２のドレン水位を示す値である。
【００６３】
ここで、調整弁２５の開度は、低圧給水加熱器１８１と低圧給水加熱器１８２との器内圧力差に応じて調整されればよいので全開に限定されるものではない。特に、定格一定運転ではない場合は、制御部３１は、調整弁２５の開度を適宜変更することが好適である。
【００６４】
低圧タービン抽気管２１Ｖの抽気蒸気が低圧給水加熱器１８２に供給されることにより、低圧給水加熱器１８２の器内圧力が上昇し、低圧給水加熱器１８２から低圧給水加熱器１８１に輸送されるドレン量が増加する。
【００６５】
制御部３１による制御の下、低圧給水加熱器１８２のドレン水位が第１基準水位に再び達した場合、制御部３１の制御により調整弁２５の開度が自動的に大きくなることで、低圧給水加熱器１８２に供給される低圧タービン抽気管２１Ｖの抽気蒸気の量が増大する。
【００６６】
一方で、制御部３１による制御の下、低圧給水加熱器１８２のドレン水位が第２基準水位まで低下した場合、制御部３１の制御により調整弁２５の開度が自動的に小さくなることで、低圧給水加熱器１８２に供給される低圧タービン抽気管２１Ｖの抽気蒸気の量が減少する。例えば、第２基準水位は、低圧給水加熱器１８３から低圧ドレン管２３３を介して低圧給水加熱器１８２にドレンの輸送が可能となる低圧給水加熱器１８３のドレン水位を示す値である。
【００６７】
つまり、制御部３１の制御により、低圧給水加熱器１８２のドレン水位が、第１基準水位から第２基準水位の間に収まるように制御されることで、ドレンの輸送における十分な駆動力が確保される。
【００６８】
（３）効果
蒸気タービンシステム１Ｂによると、低圧給水加熱器１８２のドレン水位を下げることができる構成を採用することで、低圧給水加熱器１８２から低圧給水加熱器１８１へのドレンの輸送における十分な駆動力を確保できる。
【００６９】
４．第４の実施形態
（１）構成
第４の実施形態の蒸気タービンシステムの全体の構成の概略は、図１に示すものと同等であるので、図示を省略する。
【００７０】
図５は、第４の実施形態の蒸気タービンシステムの一部の構成を具体的に示す図である。
【００７１】
図５は、第４の実施形態の蒸気タービンシステム１Ｃを示す。図５において、図１に示す蒸気タービンシステム１と同一部材には同一符号を付して説明を省略する。
【００７２】
蒸気タービンシステム１Ｃは、図１に示す蒸気タービンシステム１の低圧ドレン管２３２が、低圧ドレン管２３Ｗに置換された構成を有する。低圧ドレン管２３Ｗは、第１低圧ドレン管３２、ドレンクーラ３３、第２低圧ドレン管３４、第３低圧ドレン管３５、ドレンポンプ３６、ドレンバイパス管３７、隔離弁３８，３９、止め弁４０、第４低圧ドレン管４１、及び調整弁４２を備える。
【００７３】
第１低圧ドレン管３２は、低圧給水加熱器１８２で凝縮されたドレンをドレンクーラ３３に輸送するために、低圧給水加熱器１８２とドレンクーラ３３とを接続する。
【００７４】
ドレンクーラ３３は、第１低圧ドレン管３２を介して輸送されたドレンを熱交換により冷却する。
【００７５】
第２低圧ドレン管３４は、ドレンクーラ３３から排出されたドレンを低圧給水加熱器１８１に輸送するために、ドレンクーラ３３と低圧給水加熱器１８１とを接続する。低圧給水加熱器１８２から輸送されたドレンは、低圧給水加熱器１８１で凝縮されたドレンと合流する。
【００７６】
第３低圧ドレン管３５は、低圧給水加熱器１８１で凝縮された低圧ドレンを復水系に輸送するために、低圧給水加熱器１８１と復水系の配管とを接続する。
【００７７】
ドレンポンプ３６は、第３低圧ドレン管３５に設けられ、低圧給水加熱器１８１で凝縮された低圧ドレンを昇圧する。
【００７８】
ドレンバイパス管３７は、ドレンクーラ３３をバイパスするためのバイパスラインであり、第１低圧ドレン管３２と第２低圧ドレン管３４とを接続する。ドレンクーラ３３の前後、すなわち、第１低圧ドレン管３２及び第２低圧ドレン管３４には、ドレンクーラ３３を隔離するための隔離弁３８，３９が付設される。
【００７９】
止め弁４０は、ドレンバイパス管３７に設けられる。ドレンクーラ３３から排出されるドレンがドレンバイパス管３７を介して低圧給水加熱器１８２に逆流することを防止する。
【００８０】
第４低圧ドレン管４１は、ドレンポンプ３６で昇圧されたドレンをドレンクーラ３３に輸送するために、第１低圧ドレン管３２上であって隔離弁３８及びドレンクーラ３３の間と、第３低圧ドレン管３５とを接続する。
【００８１】
調整弁４２は、第４低圧ドレン管４１に設けられる。調整弁４２の開度が調整されることでドレンクーラ３３へのドレンの流量を制御することができる。
【００８２】
なお、低圧給水加熱器群１８のうち低圧給水加熱器１８２から低圧給水加熱器１８１へのドレン輸送の駆動力を維持するための構成例を示すがその例に限定されない。例えば、低圧ドレン管２３Ｗの代わりに低圧ドレン管２３２（図１に図示）を設置し、低圧ドレン管２３３の代わりに低圧ドレン管２３Ｗの構成部材を配置する。また、例えば、低圧ドレン管２３Ｗに加え、低圧ドレン管２３３の代わりに低圧ドレン管２３Ｗの構成部材を配置することもできる。
【００８３】
（２）作用
図５を用いて、蒸気タービンシステム１Ｃの作用を説明する。
【００８４】
蒸気タービンシステム１Ｃでは、隔離弁３８，３９が開かれ、止め弁４０及び調整弁４２が閉じられ、ドレンポンプ３６が駆動されている状態、つまり、ドレンの従来の輸送系統と同様に、低圧給水加熱器１８２で凝縮されたドレンは、低圧給水加熱器１８１と低圧給水加熱器１８２の器内圧力差及び水頭差を駆動力として、低圧ドレン管２３Ｗを介して低圧給水加熱器１８１に輸送される。低圧ドレン管２３Ｗにおいて、低圧給水加熱器１８２で凝縮されたドレンは、隔離弁３８，３９が開かれた状態で、第１低圧ドレン管３２、ドレンクーラ３３、及び第２低圧ドレン管３４を介して低圧給水加熱器１８１に輸送される。また、蒸気タービンシステム１Ｃでは、低圧給水加熱器１８１の低圧ドレンがドレンポンプ３６で昇圧され、第３低圧ドレン管３５から復水系に輸送される。
【００８５】
蒸気タービンシステム１Ｃにおいて駆動力が足りない場合、仮に、隔離弁３８，３９を閉じ、止め弁４０を開けると、低圧給水加熱器１８２で凝縮された低圧ドレンは、第１低圧ドレン管３２、ドレンバイパス管３７、及び第２低圧ドレン管３４を介して低圧給水加熱器１８１に輸送されることになる。このようにドレンクーラ３３がバイパスされる状態の場合、低圧給水加熱器１８２で凝縮され、ドレンクーラ３３をバイパスしたドレンが第２低圧ドレン管３４でフラッシュする可能性がある。
【００８６】
そこで、蒸気タービンシステム１Ｃでは、駆動力が足りない場合、隔離弁３８のみを閉じ、止め弁４０及び調整弁４２を開くことで、低圧給水加熱器１８１のドレンが第３低圧ドレン管３５、第４低圧ドレン管４１、及びドレンクーラ３３を介して第２低圧ドレン管３４に供給され、ドレンクーラ３３をバイパスしたドレンを冷却する。
【００８７】
つまり、低圧給水加熱器１８２のドレンの冷却源が、ドレンクーラ３３から、低圧給水加熱器１８１のドレンがドレンクーラ３３で冷却された過冷却のドレンに切り替わることで、低圧給水加熱器１８２で凝縮されたドレンのフラッシュを防止しながら、圧力損失を低減させてドレンの輸送における十分な駆動力が確保される。
【００８８】
（３）効果
蒸気タービンシステム１Ｃによると、低圧給水加熱器１８２のドレン冷却源を、低圧給水加熱器１８１のドレンをドレンクーラ３３で冷却した過冷却ドレンに切り替える構成を採用することで、低圧給水加熱器１８２のドレンを低圧給水加熱器１８１に輸送する際の圧力損失を低減することができ、ドレンの輸送における十分な駆動力を確保できる。
【００８９】
５．第５の実施形態
（１）構成
第５の実施形態の蒸気タービンシステムの全体の構成の概略は、図１に示すものと同等であるので、図示を省略する。
【００９０】
図６は、第５の実施形態の蒸気タービンシステムの一部の構成を具体的に示す図である。
【００９１】
図６は、第５の実施形態の蒸気タービンシステム１Ｄを示す。図６において、図５に示す蒸気タービンシステム１Ｃと同一部材には同一符号を付して説明を省略する。
【００９２】
蒸気タービンシステム１Ｄは、図５に示す蒸気タービンシステム１Ｃに加え、圧力計４３，４４及び制御部４５を備える。
【００９３】
圧力計４３は、低圧給水加熱器１８１に設けられる。圧力計４４は、低圧給水加熱器１８２に設けられる。圧力計４３，４４は、低圧給水加熱器１８１，１８２の器内圧力をそれぞれ計測する。
【００９４】
制御部４５は、ＣＰＵ及びメモリなどによって構成される。制御部４５は、圧力計４３，４４による計測結果に基づいて、低圧給水加熱器１８１と低圧給水加熱器１８２との器内圧力差が基準圧力差を下回ると判断する場合、隔離弁３８を閉とし、止め弁４０及び調整弁４２を開とし、ドレンポンプ３６を駆動させるように制御する。そのような制御により、低圧給水加熱器１８２で凝縮されたドレンは、第１低圧ドレン管３２、ドレンバイパス管３７、及び第２低圧ドレン管３４を介して低圧給水加熱器１８１に輸送される。同時に、低圧給水加熱器１８１のドレンは、ドレンポンプ３６で昇圧され、第３低圧ドレン管３５、第４低圧ドレン管４１、及びドレンクーラ３３を介して第２低圧ドレン管３４に輸送される。
【００９５】
（２）作用
図６を用いて、蒸気タービンシステム１Ｄの作用を説明する。
【００９６】
蒸気タービンシステム１Ｄでは、隔離弁３８，３９が開かれ、止め弁４０及び調整弁４２が閉じられ、ドレンポンプ３６が駆動されている状態、つまり、ドレンの従来の輸送系統と同様に、低圧給水加熱器１８２で凝縮されたドレンは、低圧給水加熱器１８１と低圧給水加熱器１８２との器内圧力差及び水頭差を駆動力として、第１低圧ドレン管３２、ドレンクーラ３３、及び第２低圧ドレン管３４を介して低圧給水加熱器１８１に輸送される。また、蒸気タービンシステム１Ｄでは、ドレンの従来の輸送系統と同様に、低圧給水加熱器１８１の低圧ドレンがドレンポンプ３６で昇圧され、第３低圧ドレン管３５から復水系に輸送される。さらに、蒸気タービンシステム１Ｄでは、低圧給水加熱器１８１，１８２にそれぞれ設けられた圧力計４３，４４により低圧給水加熱器１８１，１８２の器内圧力が適宜計測される。
【００９７】
器内圧力差が第３基準圧力差を下回った場合、仮に、隔離弁３８，３９が閉じられ、止め弁４０が開かれると、低圧給水加熱器１８２で凝縮されたドレンは、第１低圧ドレン管３２、ドレンバイパス管３７、及び第２低圧ドレン管３４を介して低圧給水加熱器１８１に輸送されることになる。このようにドレンクーラ３３がバイパスされる状態の場合、低圧給水加熱器１８２で凝縮され、ドレンクーラ３３をバイパスしたドレンが第２低圧ドレン管３４でフラッシュする可能性がある。
【００９８】
そこで、蒸気タービンシステム１Ｄでは、器内圧力差が第３基準圧力差を下回った場合、制御部４５の制御により、隔離弁３８のみが自動的に閉じられ、止め弁４０及び調整弁４２が自動的に開かれることで、低圧給水加熱器１８１のドレンが第３低圧ドレン管３５、第４低圧ドレン管４１、及びドレンクーラ３３を介して第２低圧ドレン管３４に供給され、ドレンクーラ３３をバイパスしたドレンを冷却する。
【００９９】
ここで、調整弁４２の開度は、低圧給水加熱器１８１と低圧給水加熱器１８２との器内圧力差に応じて調整されればよいので全開に限定されるものではない。特に、定格一定運転ではない場合は、制御部４５は、調整弁４２の開度を適宜変更することが好適である。
【０１００】
制御部４５による制御の下、器内圧力差が第３基準圧力差を再び下回った場合、制御部４５の制御により調整弁４２の開度が自動的に大きくなることで、低圧給水加熱器１８１からドレンクーラ３３に輸送されるドレンの量が増大する。
【０１０１】
一方で、制御部４５による制御の下、器内圧力差が第４基準圧力差を上回った場合、制御部４５の制御により調整弁４２の開度が自動的に小さくなることで、低圧給水加熱器１８１からドレンクーラ３３に輸送されるドレンの量が減少する。
【０１０２】
つまり、制御部４５により、低圧給水加熱器１８２のドレンの冷却源が、ドレンクーラ３３から、低圧給水加熱器１８１のドレンがドレンクーラ３３で冷却された過冷却のドレンに切り替わることで、低圧給水加熱器１８２で凝縮されたドレンのフラッシュを防止しながら、圧力損失を低減させてドレンの輸送における十分な駆動力が確保される。
【０１０３】
（３）効果
蒸気タービンシステム１Ｄによると、低圧給水加熱器１８２のドレン冷却源を、低圧給水加熱器１８１のドレンをドレンクーラ３３で冷却した過冷却ドレンに切り替える構成を採用することで、低圧給水加熱器１８２のドレンを低圧給水加熱器１８１に輸送する際の圧力損失を低減することができ、ドレンの輸送における十分な駆動力を確保できる。
【０１０４】
６．第６の実施形態
（１）構成
第６の実施形態の蒸気タービンシステムの全体の構成の概略は、図１に示すものと同等であるので、図示を省略する。
【０１０５】
図７は、第６の実施形態の蒸気タービンシステムの一部の構成を具体的に示す図である。
【０１０６】
図７は、第６の実施形態の蒸気タービンシステム１Ｅを示す。図７において、図５に示す蒸気タービンシステム１Ｃと同一部材には同一符号を付して説明を省略する。
【０１０７】
蒸気タービンシステム１Ｅは、図５に示す蒸気タービンシステム１Ｃに加え、水位計４６及び制御部４７を備える。
【０１０８】
水位計４６は、低圧給水加熱器１８２に設けられる。水位計４６は、低圧給水加熱器１８２のドレン水位を計測する。
【０１０９】
制御部４７は、ＣＰＵ及びメモリなどによって構成される。制御部４７は、圧力計４６による計測結果に基づいて、低圧給水加熱器１８２のドレン水位が基準水位に達したと判断する場合、隔離弁３８を閉とし、止め弁４０及び調整弁４２を開とし、ドレンポンプ３６を駆動させるように制御する。そのような制御により、低圧給水加熱器１８２で凝縮されたドレンは、第１低圧ドレン管３２、ドレンバイパス管３７、及び第２低圧ドレン管３４を介して低圧給水加熱器１８１に輸送される。同時に、低圧給水加熱器１８１のドレンは、ドレンポンプ３６で昇圧され、第３低圧ドレン管３５、第４低圧ドレン管４１、及びドレンクーラ３３を介して第２低圧ドレン管３４に輸送される。
【０１１０】
（２）作用
図７を用いて、蒸気タービンシステム１Ｅの作用を説明する。
【０１１１】
蒸気タービンシステム１Ｅでは、隔離弁３８，３９が開かれ、止め弁４０及び調整弁４２が閉じられ、ドレンポンプ３６が駆動されている状態、つまり、ドレンの従来の輸送系統と同様に、低圧給水加熱器１８２で凝縮されたドレンは、低圧給水加熱器１８１と低圧給水加熱器１８２との器内圧力差及び水頭差を駆動力として、第１低圧ドレン管３２、ドレンクーラ３３、及び第２低圧ドレン管３４を介して低圧給水加熱器１８１に輸送される。また、蒸気タービンシステム１Ｅでは、ドレンの従来の輸送系統と同様に、低圧給水加熱器１８１の低圧ドレンがドレンポンプ３６で昇圧され、第３低圧ドレン管３５から復水系に輸送される。さらに、蒸気タービンシステム１Ｅでは、低圧給水加熱器１８１，１８２にそれぞれ設けられた圧力計４３，４４により低圧給水加熱器１８１，１８２の器内圧力が適宜計測される。
【０１１２】
低圧給水加熱器１８２のドレン水位が第３基準水位に達した場合、仮に、隔離弁３８，３９が閉じられ、止め弁４０が開かれると、低圧給水加熱器１８２で凝縮されたドレンは、第１低圧ドレン管３２、ドレンバイパス管３７、及び第２低圧ドレン管３４を介して低圧給水加熱器１８１に輸送されることになる。このようにドレンクーラ３３がバイパスされる状態の場合、低圧給水加熱器１８２で凝縮され、ドレンクーラ３３をバイパスしたドレンが第２低圧ドレン管３４でフラッシュする可能性がある。
【０１１３】
そこで、蒸気タービンシステム１Ｅでは、低圧給水加熱器１８２のドレン水位が第３基準水位に達した場合、制御部４７の制御により、隔離弁３８のみが自動的に閉じられ、止め弁４０及び調整弁４２が自動的に開かれることで、低圧給水加熱器１８１のドレンが第３低圧ドレン管３５、第４低圧ドレン管４１、及びドレンクーラ３３を介して第２低圧ドレン管３４に供給され、ドレンクーラ３３をバイパスしたドレンを冷却する。
【０１１４】
ここで、調整弁４２の開度は、低圧給水加熱器１８２のドレン水位に応じて調整されればよいので全開に限定されるものではない。特に、定格一定運転ではない場合は、制御部４７は、調整弁４２の開度を適宜変更することが好適である。
【０１１５】
制御部４７による制御の下、低圧給水加熱器１８２のドレン水位が第３基準水位に再び達した場合、制御部４７の制御により調整弁４２の開度が自動的に大きくなることで、低圧給水加熱器１８１からドレンクーラ３３に輸送されるドレンの量が増大する。
【０１１６】
一方で、制御部４７による制御の下、低圧給水加熱器１８２のドレン水位が第４基準水位まで低下した場合、制御部４７の制御により調整弁４２の開度が自動的に小さくなることで、低圧給水加熱器１８１からドレンクーラ３３に輸送されるドレンの量が減少する。
【０１１７】
つまり、制御部４７により、低圧給水加熱器１８２のドレンの冷却源が、ドレンクーラ３３から、低圧給水加熱器１８１のドレンがドレンクーラ３３で冷却された過冷却のドレンに切り替わることで、低圧給水加熱器１８２で凝縮されたドレンのフラッシュを防止しながら、圧力損失を低減させてドレンの輸送における十分な駆動力が確保される。
【０１１８】
（３）効果
蒸気タービンシステム１Ｅによると、低圧給水加熱器１８２のドレン冷却源を、低圧給水加熱器１８１のドレンをドレンクーラ３３で冷却した過冷却ドレンに切り替える構成を採用することで、低圧給水加熱器１８２のドレンを低圧給水加熱器１８１に輸送する際の圧力損失を低減することができ、ドレンの輸送における十分な駆動力を確保できる。
【０１１９】
７．第７の実施形態
（１）構成
第７の実施形態の蒸気タービンシステムの全体の構成の概略は、図１に示すものと同等であるので、図示を省略する。
【０１２０】
図８は、第７の実施形態の蒸気タービンシステムの一部の構成を具体的に示す図である。
【０１２１】
図８は、第７の実施形態の蒸気タービンシステム１Ｆを示す。図８において、図５に示す蒸気タービンシステム１Ｃと同一部材には同一符号を付して説明を省略する。
【０１２２】
蒸気タービンシステム１Ｆは、図５に示す蒸気タービンシステム１Ｃに加え、温度計４８及び制御部４９を備える。
【０１２３】
温度計４８は、第２低圧ドレン管３４であって、ドレンバイパス管３７との合流点より下流側に設けられる。温度計４８は、第２低圧ドレン管３４の管内温度を計測する。
【０１２４】
制御部４９は、ＣＰＵ及びメモリなどによって構成される。制御部４９は、温度計４８による計測結果に基づいて、第２低圧ドレン管３４の管内温度に応じて、調整弁４２の開度を調整する。
【０１２５】
（２）作用
図８を用いて、蒸気タービンシステム１Ｆの作用を説明する。
【０１２６】
蒸気タービンシステム１Ｆでは、図５に示す蒸気タービンシステム１Ｃで説明した状態、つまり、隔離弁３８のみが閉じられ、止め弁４０及び調整弁４２が開かれた状態で、低圧給水加熱器１８１のドレンが第３低圧ドレン管３５、第４低圧ドレン管４１、及びドレンクーラ３３を介して第２低圧ドレン管３４に供給され、ドレンクーラ３３をバイパスしたドレンを冷却する。そして、制御部４９による制御の下、第２低圧ドレン管３４の管内温度が上限温度に達した場合、第３低圧ドレン管３５の管内でドレンのフラッシュが発生する危険があるとして、制御部４９の制御により調整弁４２の開度が自動的に大きくする。すなわち、低圧給水加熱器１８１からドレンクーラ３３に輸送されるドレンの量が増大する。
【０１２７】
つまり、蒸気タービンシステム１Ｆでは、低圧給水加熱器１８２で凝縮されたドレンのフラッシュを防止しながら、圧力損失を低減させてドレンの輸送における十分な駆動力が確保される。
【０１２８】
なお、蒸気タービンシステム１Ｆでは、図５に示す蒸気タービンシステム１Ｃに、第２低圧ドレン管３４の管内温度を監視する手段を講じた例を示すが、その場合に限定されるものではない。例えば、図６に示す蒸気タービンシステム１Ｄや図７に示す蒸気タービンシステム１Ｅに、第２低圧ドレン管３４の管内温度を監視する手段を講じてもよい。
【０１２９】
（３）効果
蒸気タービンシステム１Ｆによると、蒸気タービンシステム１Ｃ〜１Ｅの効果に加え、第２低圧ドレン管３４の管内温度を監視することができる。
【０１３０】
以上述べた少なくとも１つの実施形態の蒸気タービンシステム及びその制御方法によれば、発電端出力に大きな影響を与えることなく給水加熱器の間のドレン回収能力を確保することができる。
【０１３１】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１３２】
１〜１Ｆ…蒸気タービンシステム、１８…低圧給水加熱器群、２１…低圧タービン抽気管群、２３…低圧ドレン管群、１８１〜１８４…低圧給水加熱器、２１１〜２１４，２１Ｖ…低圧タービン抽気管、２３１〜２３４，２３Ｗ…低圧ドレン管、２７，２８，４３，４４…圧力計、３０，４６…水位計、４８…温度計、２９，３１，４５，４７，４９…制御部。
【図１】
2017072101.tif 000003
【図２】
2017072101.tif 000004
【図３】
2017072101.tif 000005
【図４】
2017072101.tif 000006
【図５】
2017072101.tif 000007
【図６】
2017072101.tif 000008
【図７】
2017072101.tif 000009
【図８】
2017072101.tif 000010